(57)【要約】【課題】紙媒体にラミネート加工を施す必要がなく、本来、ラミネート加工を施すための目的であった紙媒体部分の保護等の効果を損なうことなく、後にリサイクル可能であり廃棄物として処理することが可能であり、かつ、当該紙媒体部分の回収及び管理することができ、リサイクルの促進効果を得ることができる紙媒体回収システムを提供する。【解決手段】店舗側とセンター側とで紙媒体回収システムを構成し、店舗側では、パチンコ等遊技台１に対し、機種説明や広告を表示するための紙媒体３ケース２に挿入して設置する。また、センター側では、店舗側から回収した紙媒体３を印刷されたバーコード４からリーダー５を介して読み込むことにより、配布された紙媒体３が、実際に回収されたかどうかを管理する紙媒体回収システムを提供することができる。【選択図】図１
2010051340.tif 000002
【特許請求の範囲】
【請求項１】
パチンコ等遊技台の機種説明や広告を表示する紙媒体を回収するためのシステムであって、透明性の高いポリプロピレン材質の透明ケースと、前記ケースに挿入することができ、かつ、少なくともバーコードが印字されている紙媒体と、前記紙媒体に印字されたバーコードの各種情報を読み取るリーダーと、前記リーダーによって読み取った情報を管理するサーバと、からなることを特徴とした紙媒体回収システム。
【請求項２】
パチンコ等遊技台の機種説明や広告を表示する紙媒体を回収するためのシステムであって、前記ケースには、フック等を用いてパチンコ等遊技台に簡単にケースを取り付けることができるように、パチンコ等遊技台に紙媒体が挿入されたケースを設置することができるように穴が設けられていることを特徴とした紙媒体回収システム。
【請求項３】
パチンコ等遊技台の機種説明や広告を表示する紙媒体を回収するためのシステムであって、前記紙媒体には、機種説明や広告の他に、少なくともパチンコ等遊技台を設置している各店舗情報と各紙媒体情報とが、バーコードで印刷されていることを特徴とした紙媒体回収システム。
【請求項４】
パチンコ等遊技台の機種説明や広告を表示する紙媒体を回収するためのシステムであって、前記リーダーには、前記紙媒体に印刷されたバーコードに含まれている各情報を読み取とり、その読み取った情報を前記サーバに送信する機能を備えていることを特徴とした紙媒体回収システム。
【請求項５】
パチンコ等遊技台の機種説明や広告を表示する紙媒体を回収するためのシステムであって、前記サーバには、少なくとも各店舗情報と各紙媒体情報とが管理され、さらに各紙媒体情報については、その配布情報及び回収情報とが管理できる機能を備えていることを特徴とした紙媒体回収システム。
【発明の詳細な説明】
【技術分野】
【０００１】
本発明は、ラミネート加工が施されて紙媒体と一体化したパチンコ等遊技台の機種説明や広告を表示する紙媒体をケース部分と紙媒体部分に分離することにより、再利用を可能とし、更に紙媒体部分を回収及び管理することにより、リサイクルの促進を促すことのできる紙媒体回収システムに関する。
【背景技術】
【０００２】
従来のパチンコ等遊技台の機種説明や広告を表示する紙媒体は、ラミネート加工が施されて紙媒体と一体化したものを使用していた。
【発明の開示】
【発明が解決しようとする課題】
【０００３】
しかしながら、前記記載のラミネート加工が施されて紙媒体と一体化したものは、回収してもラミネート部分と紙媒体部分を分離することが困難か、或いは分離するために多大なコストが生じてしまうため、不燃性の廃棄物として処理（埋め立て等）されてしまい、リサイクルされないという問題点があった。
【０００４】
本発明は、このような問題点に着目してなされたもので、ラミネート加工を施す必要がなく、本来、ラミネート加工を施すための目的であった紙媒体部分の保護等の効果を損なうことなく、後にリサイクル可能であり廃棄物として処理することが可能であり、かつ、当該紙媒体部分の回収及び管理することができ、リサイクルの促進効果を得ることができる紙媒体回収システムを提供することを目的とする。
【課題を解決するための手段】
【０００５】
前記課題を解決するために、本発明の請求項１に記載の紙媒体回収システムは、パチンコ等遊技台の機種説明や広告を表示する紙媒体を回収するためのシステムであって、透明性の高いポリプロピレン材質の透明ケースと、前記ケースに挿入することができ、かつ、少なくともバーコードが印字されている紙媒体と、前記紙媒体に印字されたバーコードの各種情報を読み取るリーダーと、前記リーダーによって読み取った情報を管理するサーバと、からなることを特徴としている。
この特徴によれば、透明性の高いポリプロピレン材質の透明ケースを用いることから、ケースに挿入する紙媒体に記載された情報を利用者が読むことができ、かつ、後にその紙媒体に印字されたバーコードに印字された情報をリーダーで読み取ることが可能となる。
【０００６】
本発明の請求項２に記載の紙媒体回収システムは、パチンコ等遊技台の機種説明や広告を表示する紙媒体を回収するためのシステムであって、前記ケースには、フック等を用いてパチンコ等遊技台に簡単にケースを取り付けることができるように、パチンコ等遊技台に紙媒体が挿入されたケースを簡単に設置することができるように穴が設けられていることを特徴としている。
この特徴によれば、紙媒体を挿入するためのケースに設けられた穴にフック等を用いてパチンコ等遊技台にケースを簡単に設置することができる。
【０００７】
本発明の請求項３に記載の紙媒体回収システムは、パチンコ等遊技台の機種説明や広告を表示する紙媒体を回収するためのシステムであって、前記紙媒体には、機種説明や広告の他に、少なくともパチンコ等遊技台を設置している各店舗情報と各紙媒体情報とが、バーコードで印刷されていることを特徴としている。
この特徴によれば、紙媒体に印刷されたバーコードから、後にどの紙媒体がどの店舗に配布及び回収されたか等の情報を管理することができる。
【０００８】
本発明の請求項４に記載の紙媒体回収システムは、パチンコ等遊技台の機種説明や広告を表示する紙媒体を回収するためのシステムであって、前記リーダーには、前記紙媒体に印刷されたバーコードに含まれている各情報を読み取とり、その読み取った情報を前記サーバに送信する機能を備えていることを特徴としている。
この特徴によれば、紙媒体に印刷されたバーコードをリーダーで読み取ることによって、その情報をサーバに取り込むことができる。
【０００９】
本発明の請求項５に記載の紙媒体回収システムは、パチンコ等遊技台の機種説明や広告を表示する紙媒体を回収するためのシステムであって、前記サーバには、少なくとも各店舗情報と各紙媒体情報とが管理され、さらに各紙媒体情報については、その配布情報及び回収情報とが管理できる機能を備えていることを特徴としている。
この特徴によれば、各店舗情報と各紙媒体情報に基づき、どの店舗に対してどの紙媒体が実際に配布され、かつ回収されたかどうかを管理することができる。
【発明を実施するための最良の形態】
【００１０】
本発明に係る紙媒体回収システムを実施するための最良の形態を実施例に基づいて以下に説明する。
【実施例】
【００１１】
本発明の実施例を図面に基づいて説明すると、先ず図１は、本発明の実施例における紙媒体回収システムの全体像を示す図である。
【００１２】
図１に示されるように、紙媒体回収システムは、店舗側とセンター側で構成されており、
店舗側ではパチンコ等遊技台１に対し、当該パチンコ等遊技台１に関する機種説明や広告を表示するための紙媒体３が、透明性の高いポリプロピレン材質の透明ケース２に挿入されている。
【００１３】
なお、その際のケース２は、透明性が高く、耐久性に優れ、紙媒体３を透過して利用者が紙媒体３に記載されている内容を見ることができれば、その材質はポリプロピレン系に限らず、代用素材を用いてもよい。
【００１４】
図１に示されるように、センター側では、システムの制御や管理データベースを行うコンピュータ６と、バーコード４を印刷して紙媒体３を出力するプリンター７と、紙媒体３に印刷されたバーコード４を読み取るためのリーダー５から構成されている。
【００１５】
図１のコンピュータ６には、制御を行うための演算装置とデータベースが具備されており、あらかじめ、少なくとも各店舗情報と各紙媒体情報とが入力、管理されるように設計されており、さらに各紙媒体情報については、その配布情報及び回収情報が管理できるようになっている。
【００１６】
また、図１のコンピュータ６には、プリンター７が接続され、紙媒体３を出力する際に、機種説明や広告に加え、少なくとも各店舗情報と各紙媒体情報とを読み取れるバーコード４が印刷されるようになっている。
【００１７】
図１のコンピュータ６には、リーダー５が接続され、各店舗から回収した紙媒体３に印刷されたバーコード４を読み取ることができ、その結果、コンピュータ６に具備されたデータベースにおける、各店舗情報と配布情報と回収情報とを照会し、配布された紙媒体３が回収されたことをリアルタイムで管理できる仕組みになっている。
【００１８】
図２は、本発明の実施例におけるケース２に対して、紙媒体３を挿入することを示す図である。
【００１９】
図２で示されるように、ケース２は、透明性の高いポリプロピレン材質で出来ており、図の左側面には紙媒体３を挿入するために開放されている。
【００２０】
また、ケース２には、穴８が設けられている。この穴８にフック等を用いてパチンコ等遊技台に対し、簡単にケース２を取り付けることができるようになっている。
【００２１】
図２で示す紙媒体３には、バーコード４が印刷されている。後に紙媒体３がセンター側に回収された際、それをリーダー５で読み取れるようになっている。
【００２２】
以上の説明により、紙媒体にラミネート加工を施す必要がなく、本来、ラミネート加工を施すための目的であった紙媒体部分の保護等の効果を損なうことなく、後にリサイクル可能であり廃棄物として処理することが可能であり、かつ、当該紙媒体部分の回収及び管理することができ、リサイクルの促進効果を得ることができる紙媒体回収システムを提供することができる。
【図面の簡単な説明】
【００２３】
【図１】本発明の実施例における紙媒体回収システムの全体像を示す図である。
【図２】本発明の実施例におけるケースに対して、紙媒体を挿入することを示す図である。
【符号の説明】
【００２４】
１  パチンコ等遊技台
２  ケース
３  紙媒体
４  バーコード
５  リーダー
６  コンピュータ
７  プリンター
８  穴
【図１】
2010051340.tif 000003
【図２】
2010051340.tif 000004